(57)【要約】【課題】必要に応じて過去の設定内容を参照して新たな設定を行うことを可能とする火災受信機を得る。【解決手段】各種設定データを含む第１のデータベースを格納し、第１のデータベース内の各種設定データの内容の読み書きが自在である不揮発性の記憶媒体４０と、操作入力に基づいて、各種設定データの内容を変更し、変更後の内容で記憶媒体に格納されている第１のデータベースの内容を上書きするデータベース変更手段２３と、第１のデータベースの内容が変更された場合に、変更された各種設定データの変更履歴情報を生成して、記憶媒体に変更履歴情報を記憶させる変更履歴情報登録手段２６とを備える。【選択図】図２
2010224938.tif 000002
【特許請求の範囲】
【請求項１】
各種設定データを含む第１のデータベースを格納し、前記第１のデータベース内の前記各種設定データの内容の読み書きが自在である不揮発性の記憶媒体と、
操作入力に基づいて、前記各種設定データの内容を変更し、変更後の内容で前記記憶媒体に格納されている前記第１のデータベースの内容を上書きするデータベース変更手段と、
前記第１のデータベースの内容が変更された場合に、変更された各種設定データの変更履歴情報を生成して、前記記憶媒体に前記変更履歴情報を記憶させる変更履歴情報登録手段と
を備えたことを特徴とする火災受信機。
【請求項２】
請求項１に記載の火災受信機において、
前記変更履歴情報登録手段は、前記第１のデータベースの内容が変更された場合に、前記第１のデータベースに含まれる変更後の各種設定データおよび前記変更履歴情報の内容を、マスタ側にアップロードすることをユーザに要求するためのアップロード要求を報知する機能をさらに備える
ことを特徴とする火災受信機。
【請求項３】
請求項１または２に記載の火災受信機において、
前記変更履歴情報登録手段は、前記各種設定データの内容が変更された場合に、変更前の設定データと変更後の設定データとを含む変更履歴情報を生成する機能をさらに備える
ことを特徴とする火災受信機。
【請求項４】
請求項１ないし３のいずれか１項に記載の火災受信機において、
前記変更履歴情報登録手段は、必要に応じて、前記記憶媒体に記憶された前記変更履歴情報を読み出して表示部に表示させる
ことを特徴とする火災受信機。
【請求項５】
請求項１ないし４のいずれか１項に記載の火災受信機において、
前記変更履歴情報を印字する印字手段をさらに備える
ことを特徴とする火災受信機。
【請求項６】
請求項１ないし５のいずれか１項に記載の火災受信機において、
前記変更履歴情報登録手段は、前記記憶媒体が再装着された際に、前記記憶媒体内に記憶されている変更履歴情報を消去する
ことを特徴とする火災受信機。
【請求項７】
請求項１ないし６のいずれか１項に記載の火災受信機において、
前記データベース変更手段により変更される各種設定データは、感知器の感度レベルの閾値、警報状態継続時間、オプションメッセージの少なくともいずれか１つを含む
ことを特徴とする火災受信機。
【発明の詳細な説明】
【技術分野】
【０００１】
本発明は、火災受信機に関し、特に、火災受信機が設置される現場で、各種設定内容を変更した際に、その変更履歴情報を記憶しておくことのできる火災受信機に関する。
【背景技術】
【０００２】
火災受信機は、信号線を介して、あらかじめ決められた様々な場所に設置されている種々の感知器等と接続されており、各感知器等の情報を収集することができる。このような火災受信機としては、連動情報等の各種設定データが、データベース化されて格納されている記憶媒体（メモリカード）が用いられることが知られている。このメモリカードは、読み書き自在で、かつ不揮発性である。
【０００３】
従来の火災受信機に各種設定を行う場合には、まず、専用のツール（データベース作成装置）を使用して、各種設定データを作成し、メモリカードに書き込む。その後、書き込みが完了したメモリカードを専用のツールから取り外し、火災受信機に挿入することで、新たな内容が火災受信機に設定されることとなる。
【０００４】
また、それぞれの設置環境に応じて、設定データの変更を行う場合には、メモリカードを挿入した状態の火災受信機上で、直接、所望のデータを変更することができ、変更後のデータがメモリカード内に書き込まれる。さらに、メモリカード内の設定内容が変更されると、その変更された設定内容を、データベース作成装置側のデータベースにアップロードすべきことをユーザに要求するアップロード要求報知手段を備えた火災受信機もある（例えば、特許文献１参照）。
【０００５】
このような、特許文献１の火災受信機によれば、現場で専用ツールを用いることなく、設定をすぐに変更することができる。さらに、アップロード要求に応じて、メモリカードを火災受信機から取り外してデータベース作成装置に挿入することで、最新のデータをデータベース作成装置側にアップロードすることができる。この結果、メモリカードに設けられているデータベース（第１のデータベース）の設定内容と、データベース作成装置に設けられているデータベース（第２のデータベース）の設定内容とを、早期に整合させることができる。
【先行技術文献】
【特許文献】
【０００６】
【特許文献１】特開２００７−３１６７９６号公報
【発明の概要】
【発明が解決しようとする課題】
【０００７】
しかしながら、従来技術には、以下のような課題がある。
従来技術においては、第１のデータベースの設定内容が変更された場合には、この変更された内容で、メモリカードが上書きされてしまうこととなる。このため、何度も変更が行われた場合には、どのような変更が行われたのかを、後日確認することができなかった。
【０００８】
例えば、設定内容として、ある感知器の火災には至らないが通常の生活環境よりも煙が多くなるなどの火災の兆候を注意報するための注意レベルを火災受信機で変更した結果、注意報が頻繁に発生してしまった場合には、注意レベルを元のレベルに戻したいケースが生じる。しかしながら、設定変更した後に、過去のデータを忘れてしまうと、元に戻すことができないこととなる。
【０００９】
本発明は、前記のような課題を解決するためになされたものであり、必要に応じて過去の設定内容を参照して新たな設定を行うことを可能とする火災受信機を得ることを目的とする。
【課題を解決するための手段】
【００１０】
本発明に係る火災受信機は、各種設定データを含む第１のデータベースを格納し、第１のデータベース内の各種設定データの内容の読み書きが自在である不揮発性の記憶媒体と、操作入力に基づいて、各種設定データの内容を変更し、変更後の内容で記憶媒体に格納されている第１のデータベースの内容を上書きするデータベース変更手段と、第１のデータベースの内容が変更された場合に、変更された各種設定データの変更履歴情報を生成して、記憶媒体に変更履歴情報を記憶させる変更履歴情報登録手段とを備えるものである。
【発明の効果】
【００１１】
本発明に係る火災受信機によれば、現場サイドで火災受信機の運用データベースの各種設定データの内容を変更した場合に、変更された各種設定データの変更履歴情報を、不揮発性の記憶媒体に登録する構成を備えることにより、必要に応じて過去の設定内容を参照して新たな設定を行うことを可能とする火災受信機を得ることができる。
【図面の簡単な説明】
【００１２】
【図１】本発明の実施の形態１における火災受信機を含むシステムの全体構成図である。
【図２】本発明の実施の形態１における火災受信機の構成図である。
【図３】本発明の実施の形態１における火災受信機の一連の処理の流れを示すフローチャートである。
【図４】本発明の実施の形態１における変更履歴情報の一例を示す図である。
【発明を実施するための形態】
【００１３】
以下、本発明の火災受信機の好適な実施の形態につき図面を用いて説明する。
【００１４】
実施の形態１．
まず始めに、システムの全体像について説明する。
図１は、本発明の実施の形態１における火災受信機を含むシステムの全体構成図である。火災受信機２０は、信号線ＳＧを介して、光電式アナログ感知器ＳＥ１１、熱アナログ感知器ＳＥ１２、アドレッサブル発信機ＳＥ１３、感知器用中継器Ｃ１１、および防排煙制御用中継器Ｄ１１と接続されている。
【００１５】
また、感知器用中継器Ｃ１１には、自動試験機能付き感知器（ＡＴＦ感知器）が複数台接続されている。また、防排煙制御用中継器Ｄ１１には、防火戸Ｄ１１１、排煙機Ｄ１１２、シャッタＤ１１３、およびたれ壁Ｄ１１４が接続されている。このような構成により、火災受信機２０は、あらかじめ決められた様々な場所に設置されている種々の感知器等から情報を収集している。
【００１６】
また、データベース作成装置３０は、火災受信機２０で使用する各種設定データを作成するための専用のツールである。データベース作成装置３０で作成された各種設定データは、メモリカード４０に書き込まれる。そして、書き込みが完了したメモリカード４０を火災受信機２０に挿入することで、新たな内容が火災受信機２０に設定される。
【００１７】
本発明における火災受信機２０は、火災受信機２０側でメモリカード４０内のデータを書き換えた際に、その変更履歴内容をメモリカード４０内に記憶させておき、必要に応じて表示させることができる点を技術的特徴としている。そこで、図面およびフローチャートに基づいて、本願の技術的特徴について、以下に詳細に説明する。
【００１８】
図２は、本発明の実施の形態１における火災受信機の構成図である。図２における火災受信機２０は、火災情報処理手段２１、送受信制御手段２２、データベース変更手段２３、入出力制御手段２４、表示操作部２５、および変更履歴情報登録手段２６を備えている。また、メモリカード４０は、火災受信機２０に設けられたスロット（図示せず）に挿入されることで、入出力制御手段２４と接続され、内容の読み書きが可能となる。また、プリンタ５０も入出力制御手段２４と接続可能な構成を備えている。なお、入出力制御手段２４には、スロット（図示せず）にメモリカード４０を着脱する際に操作されるディップスイッチＳＷ１が設けられている。
【００１９】
火災情報処理手段２１は、信号線ＳＧを介して、先の図１に示したような各種感知器等から収集した情報を処理する。また、データベース変更手段２３は、表示操作部２５による変更操作内容に応じて、メモリカード４０内の各種設定データを書き換える。これらの機能は、既存の火災受信機に備わっているものである。
【００２０】
一方、本発明の技術的特徴である変更履歴内容の記憶は、変更履歴情報登録手段２６により実現される。そこで、この変更履歴情報登録手段２６の働きを、一連の運用の流れに沿って詳述する。
【００２１】
火災受信機２０に各種設定データを読み込ませ、その後、火災受信機２０側で設定データの一部を変更した際に、その変更履歴を残す一連の運用は、以下のステップ（第１ステップ〜第４ステップ）に従って行われる。
［第１ステップ］
データベース作成装置３０で作成された各種設定データは、データベース作成装置３０内の記憶部にマスタのデータベースとして保存される。このデータベース作成装置３０内のマスタのデータベースは、第２のデータベースに相当する。
【００２２】
［第２ステップ］
データベース作成装置３０で作成された各種設定データを、所望の火災受信機２０に展開するために、データベース作成装置３０にメモリカード４０を挿入し、メモリカード４０内に運用データベースとして各種設定データをコピーする。このメモリカード４０内の運用データベースは、第１のデータベースに相当する。
【００２３】
［第３ステップ］      
火災受信機２０側では、メモリカード４０を挿入して各種設定データを読み込んだ後、必要に応じて火災受信機２０の表示操作部２５からの操作に基づいて、メモリカード４０内の第１のデータベースの内容の一部を設置場所に合わせて変更する。
【００２４】
この際、変更履歴情報登録手段２６は、設定変更に伴う変更履歴情報を作成し、メモリカード４０内に記憶させる。また、メモリカード４０内の第１のデータベースの内容が変更されたことで、第２のデータベースの内容とずれが生じるため、メモリカード４０内の変更後の第１のデータベースの内容を、データベース作成装置内の第２のデータベースに上書きして同期を取るように促すアップロード要求の表示を行う。
［第４ステップ］
マスタのデータベースを書き換えるために、変更後の最新の各種設定データが記憶されているメモリカード４０を火災受信機２０から取り外し、データベース作成装置３０に挿入し、アップロードを行い、第２のデータベースの内容を第１のデータベースの内容で上書きする。また、同時に、変更履歴情報もデータベース作成装置３０の記憶部にアップロードされる。
【００２５】
上述した一連動作のうち、第２ステップ〜第４ステップの詳細な手順の一例について、フローチャートを用いて説明する。図３は、本発明の実施の形態１における火災受信機の一連の処理の流れを示すフローチャートである。オペレータは、現場サイドにおいて、火災受信機２０の表示操作部２５を操作することで、各種設定データの変更を行う（ステップＳ３０１）。この際、設定データが容易に変更されることを防止するために、特定の設定内容の変更に当たっては、パスワード入力を必要とするようにしてもよい。
【００２６】
次に、変更された設定データは、データベース変更手段２３により、メモリカード４０内に記録され、これにより、第１のデータベースの内容が書き換えられる（ステップＳ３０２）。
【００２７】
次に、変更履歴情報登録手段２６は、ステップＳ３０２における書き換え内容に応じた変更履歴情報を作成し、メモリカード４０内に記憶させる（ステップＳ３０３）。
【００２８】
次に、データベース変更手段２３は、メモリカード４０内の変更後の第１のデータベースの内容を、データベース作成装置３０内の第２のデータベースに上書きして同期を取るように促すアップロード要求を、表示操作部２５に表示させる（ステップＳ３０４）。
【００２９】
次に、データベース変更手段２３は、メモリカード４０がアップロードのために取り外されたか否かを確認する（ステップＳ３０５）。例えば、データベース変更手段２３は、カードを取り外す際に、オペレータによりディップスイッチＳＷ１がＯＮに切り換えられたことを読み取ることで、この状態を確認することができる。
【００３０】
そして、データベース変更手段２３は、メモリカード４０が取り外されたことを確認できるまで、ステップＳ３０４によるアップロード要求の表示を継続させる。一方、ステップＳ３０５において、メモリカード４０が取り外されたことを確認できた場合には、データベース変更手段２３は、アップロード要求の表示を消去する（ステップＳ３０６）。
【００３１】
次に、オペレータは、取り外したメモリカード４０をデータベース作成装置３０に挿入し、第１のデータベースの内容を第２のデータベースにコピーする（ステップＳ３０７）。これにより、変更後の最新の設定データである第１のデータベースの内容が、マスタとなる第２のデータベースにアップロードされることとなる。また、同時に、変更履歴情報もデータベース作成装置３０の記憶部にアップロードされる。
【００３２】
次に、オペレータは、メモリカード４０を火災受信機２０に戻し、ディップスイッチＳＷ１をＯＦＦにする（ステップＳ３０８）。次に、変更履歴情報登録手段２６は、ＳＷ１がＯＦＦとなったことから、既にメモリカード４０内の変更履歴情報がデータベース作成手段にアップロードされたと判断し、変更履歴情報を消去することができる（ステップＳ３０９）。
【００３３】
なお、この変更履歴情報の消去は、全てを消去する必要はなく、メモリカードの容量に応じて、変更履歴情報が所定容量をオーバーしている場合に、所定容量内に収めるように、古いデータのみを削除することも可能である。あるいは、ＳＷ１による判断ではなく、例えば、最新の１００データを履歴として保存し、常に古いものから順次消去していくようにしてもよい。
【００３４】
以上のように、現場サイドで、メモリカード４０内の第１のデータベースの内容が書き換えられるたびに、その変更履歴情報がメモリカード４０内に記憶される。そして、この変更履歴情報は、火災受信機２０に設けられている表示操作部２５に必要に応じて表示させることができる。この結果、実運用状況に応じて、過去のデータを参照して設定データを元に戻す、あるいは過去の履歴に基づいて新たなデータを設定することが容易に行えるようになる。
【００３５】
一例として、厨房などに設置された感知器で、誤報が生じないように複数回現場の調整で設定データを変更した場合には、その時々の変更履歴を取っておけば、次回に調整するときの参考にできる。誤報が生じるからといって、最初から警報が発生しないレベルにしてしまうと、それだけ警報が遅くなってしまう。そこで、過去の履歴データを参照することで、現場の設置環境ごとに最適な設定データを得ることが可能となる。
【００３６】
また、データの調整が完了して、データベース作成装置３０に新たな設定データと同時に変更履歴情報をアップロードした後にメモリカード４０を受信機に戻したときに、変更履歴情報を消すので、メモリカード４０のメモリ容量のオーバフローを防止することができる。
【００３７】
次に、データベース内に格納される各種設定データの具体例、およびその変更履歴情報の具体例について説明する。
各種感知器に関する設定データとしては、例えば、次のような３種の設定データが考えられる。
［設定データ１］感知器の注意レベル、火災レベル、故障レベルの閾値
火災受信機２０内の火災情報処理手段２１が、各アナログ感知器から定期的に通知されるアナログ値と比較して、各警報を行うかを判断するための所定の値である。
【００３８】
［設定データ２］警報状態継続時間
火災受信機２０内の火災情報処理手段２１が、各アナログ感知器から定期的に通知されるアナログ値と、閾値レベルとを比較して各警報を行う際に、すぐに警報を行わず、警報を行う値がある一定時間以上継続したときに、はじめて警報を行うための所定の時間である。
【００３９】
［設定データ３］オプションメッセージ
火災受信機２０内の火災情報処理手段２１が、各警報を行うときに、感知器の番号とともに、警報発生場所がわかりやすいように、表示操作部２５に表示する、場所名称等のデータである。
【００４０】
設定データ１の閾値、設定データ２の継続時間は、各感知器の設置環境によりさまざまである。このような場合には、現場サイドで、火災受信機の設定データを容易に変更できる機能に加え、変更履歴情報を適宜蓄積し、必要に応じて表示する機能が重要となる。この変更履歴情報を活用することで、各現場での設置環境に応じて、現場サイドで設定データを最適値に絞り込んでいく、あるいは前のデータに戻すといったことが容易に行えるようになる。
【００４１】
次に、変更履歴情報の詳細について説明する。図４は、本発明の実施の形態１における変更履歴情報の一例を示す図である。この図４では、変更履歴情報の内容として、ＮＯ、変更日付、変更内容（変更した設定データ名）、変更前のデータ、変更後のデータ、アドレスの６項目を例示している。
【００４２】
このような変更履歴情報は、必要に応じて、表示操作部２５に表示させることができる。例えば、オペレータが、変更履歴情報におけるＮＯ３、ＮＯ５およびＮＯ６と同じ感知器の注意レベルを変更して調整する場合には、４．６％／ｍで注意報が頻繁に発生するためＮＯ６で５．７％／ｍに変更して注意報が発生しなくなり、ＮＯ５で５．０％／ｍに変更して注意報が頻繁に発生するようになり、ＮＯ３で５．３％／ｍに変更しても注意報がときどき発生するときには、次回は、例えば、５．５％／ｍに設定するようにすれば最適な値に設定変更することができる。
【００４３】
以上のように、実施の形態１によれば、現場サイドで火災受信機の運用データベースの各種設定データの内容を変更した場合に、変更された各種設定内容の変更履歴情報を、不揮発性の記憶媒体に登録することができる。この結果、変更履歴情報を汎用パソコンなどで読み出して、閲覧、管理することができる。
【００４４】
さらに、運用データベースの各種設定データの内容を変更した場合には、アップロード要求をユーザに報知することができる。この結果、変更された運用データベースをデータベース作成装置に設けられているマスタのデータベースにアップロードして、マスタ側を最新のデータに書き換えることを忘れないようにすることができる。
【００４５】
さらに、変更された各種設定データの変更履歴情報として、変更された設定データ名と、変更された設定内容の変更前の設定データと変更後の設定データとを登録する。この結果、変更された設定データの内容がどのように遷移してきたかを確認することができる。なお、各種設定データの変更履歴情報として、変更された各設定データについて、初回は変更前の設定データと変更後の設定データとを登録して、２回目以降は変更後の設定データのみを登録するようにしても、設定データの内容がどのように遷移してきたかを確認できる。
【００４６】
さらに、運用データベースの各種設定データの内容を変更した場合に、データベース作成装置に設けられているマスタのデータベースにアップロードすることが完了したときには、同時に、変更履歴情報もマスタの記憶部にアップロードされたため、記憶媒体の変更履歴情報を消去することができる。この結果、メモリ容量のオーバフローを防止し、最新の変更履歴情報を確実に記憶させておくことができる。
【００４７】
また、変更履歴情報は、表示操作部に表示させる、あるいはプリンタを接続して印字することが可能であり、変更履歴の閲覧、管理を容易に行うことができる。
【符号の説明】
【００４８】
２０  火災受信機、２１  火災情報処理手段、２２  送受信制御手段、２３  データベース変更手段、２４  入出力制御手段、２５  表示操作部、２６  変更履歴情報登録手段、３０  データベース作成装置、４０  メモリカード（記憶媒体）、５０  プリンタ。
【図１】
2010224938.tif 000003
【図２】
2010224938.tif 000004
【図３】
2010224938.tif 000005
【図４】
2010224938.tif 000006